(57)【要約】本願はエアコン室内機及びエアコンを開示する。エアコン室内機は、ベースと開口が設けられたフレームとを含む筐体と、ベースに設置されているとともに開口に露出している風路部品と、送風口が設けられ、一方側は筐体の一方側の縁部或いは風路部品の一方側と回動的に接続され、他方側は筐体の他方側の縁部或いは風路部品の他方側と取り外し可能に接続され、回動することで開口を開放又はカバーして、風路部品を露出又は遮蔽する下パネルとを含む。【選択図】図３
2021513046.tif 000002
【特許請求の範囲】
【請求項１】
ベース及びベースと接続されているフレームを含み、前記フレームの下部には開口が設けられている筐体と、
前記ベースに設置されているとともに前記開口に露出している風路部品と、
前記風路部品に連通する送風口が設けられ、前後方向における一方側は前記開口の一方側の縁部或いは風路部品の一方側と回動可能に接続され、他方側は前記開口の他方側の縁部或いは風路部品の他方側と取り外し可能に接続され、回動することで前記開口を開放又はカバーして、前記風路部品を露出又は遮蔽する下パネルと
を含むエアコン室内機。
【請求項２】
前記エアコン室内機はさらに熱交換器を含み、前記熱交換器は前記筐体内に取り付けられ、前記熱交換器には冷媒管が接続され、前記ベースには脱着口が設けられ、前記下パネルには前記脱着口に対応して退避穴が設けられ、前記冷媒管上のジョイントは前記脱着口と前記退避穴により露出でき、前記退避穴の下には、前記退避穴と脱着口とを開閉するために、蓋が取り外し可能に接続されている請求項１に記載のエアコン室内機。
【請求項３】
前記退避穴の外周縁には第一ロック構造が設置され、前記蓋の内壁には第二ロック構造が設置され、前記蓋は前記第一ロック構造と前記第二ロック構造の嵌合によって、前記下パネルと取り外し可能に接続されている請求項２に記載のエアコン室内機。
【請求項４】
前記送風口の周縁には接続穴が設けられており、前記風路部品には対応する取付穴が設けられており、前記下パネルと前記風路部品を接続するように、ロッキング固定具が前記接続穴と取付穴内に挿設されている請求項１に記載のエアコン室内機。
【請求項５】
前記下パネルの前後方向における一方側には回動軸が設置され、前記開口の、前記フレームの前側に近い縁部には前記回動軸と適合する軸穴が設置され、前記下パネルは後ろから前へ向かう方向に回動して前記開口を開く請求項１に記載のエアコン室内機。
【請求項６】
前記回動軸と軸穴とは少なくともそれぞれ一対設置されており、一対の前記軸穴の開口は向かい合うように設置され、一対の前記回動軸は間隔を空けて設置されて前記軸穴と嵌合して回動され、
且つ／又は、前記回動軸は回転アームを介して前記下パネルに接続され、前記軸穴の一方側のエッジには位置制限突起が設置され、前記下パネルが規定の角度まで回動された時、前記位置制限突起は前記回転アームに当接されることにより、前記下パネルを位置決めする請求項５に記載のエアコン室内機。
【請求項７】
前記軸穴の外周縁には案内面が設置され、前記回動軸は前記案内面に沿って前記軸穴内に滑りこむ請求項５に記載のエアコン室内機。
【請求項８】
前記回動軸の端面にはフィット面が設置され、前記回動軸は前記フィット面を合わせるようにして前記軸穴内に滑りこむ請求項５に記載のエアコン室内機。
【請求項９】
前記軸穴の外周縁には案内面が設置され、前記回動軸の端面にはフィット面が設置され、前記案内面と前記フィット面とを合わせるようにして前記回動軸を前記軸穴内に滑りこませる請求項５に記載のエアコン室内機。
【請求項１０】
前記下パネルの他方側には留め具が設置され、前記開口の、前記ベースの後側に近い縁部には掛着穴が設置され、前記留め具は前記掛着穴と挿嵌接続する請求項５に記載のエアコン室内機。
【請求項１１】
前記留め具は板状で前記下パネルの内面に垂直に突出するように設置され、前記留め具の自由端は後側へ折れ曲がって設置され、前記掛着穴はフレア状の穴である請求項１０に記載のエアコン室内機。
【請求項１２】
前記下パネルの他方側にはラッチが設置され、前記開口の、前記ベースの後側に近い縁部にはスプリングキャッチ組立品が設置され、前記ラッチは前記スプリングキャッチ組立品とラッチ結合される請求項５に記載のエアコン室内機。
【請求項１３】
前記ラッチは直径が変化する柱状構造であり、
前記スプリングキャッチ組立品は、
一端に開口を有する筒体構造と、
前記筒体構造内に取り付けられるスライダであって、前記スライダと前記筒体構造の間にはバネが設置され、前記スライダ内には循環ガイドレールが形成されている前記スライダと、
スライダと接続されて筒体構造の開口から伸出している二つの係着爪と、
前記筒体構造と前記スライダとを接続し、前記循環ガイドレール内に引っ掛けられるスイングピンと
を含む請求項１２に記載のエアコン室内機。
【請求項１４】
前記下パネルの左右方向における両端の中間部と前記開口の左右方向におけるエッジの中間部との一方には係着穴が設置され、他方には前記係着穴に嵌合する係止具が設置されている請求項１に記載のエアコン室内機。
【請求項１５】
前記エアコン室内機はさらに上パネルを含み、前記上パネルの一方側は前記フレームの上側に回動可能に接続され、他方側は前記下パネルと掛合接続されている請求項１に記載のエアコン室内機。
【請求項１６】
前記フレームの前側には取付口が設けられ、前記上パネルは前記取付口を覆っている請求項１５に記載のエアコン室内機。
【請求項１７】
前記上パネルの両端には前記フレームの外側壁を覆うエッジカバーが設置され、前記下パネルの両端には、前記フレームに向かう方向に突出した折り返し縁部が設置され、前記下パネルが前記開口を覆う時、前記折り返し縁部の外壁面と前記エッジカバーの外壁面とは面一になる請求項１５に記載のエアコン室内機。
【請求項１８】
前記エアコン室内機はさらに導風組立品を含み、前記導風組立品は前記送風口の周縁に取り外し可能に接続され、
或いは、前記導風組立品は前記フレームに取り付けられ、且つ前記送風口と対向するように設置されている請求項１に記載のエアコン室内機。
【請求項１９】
前記風路部品はファンと、前記ベースに設置されている渦巻き形舌部及び渦巻き形ケーシングとを含み、前記渦巻き形舌部と前記渦巻き形ケーシングとが組み合わされて前記送風口に連通する風路を規定し、前記ファンは前記風路内に位置する請求項１に記載のエアコン室内機。
【請求項２０】
エアコン室内機を含むエアコンであって、前記エアコン室内機は、
ベース及びベースと接続されているフレームを含み、前記フレームの下部には開口が設けられている筐体と、
前記ベースに設置されているとともに前記開口に露出している風路部品と、
前記風路部品に連通する送風口が設けられ、前後方向における一方側は前記開口の一方側の縁部或いは風路部品の一方側と回動可能に接続され、他方側は前記開口の他方側の縁部或いは風路部品の他方側と取り外し可能に接続され、回動することで前記開口を開放又はカバーして、前記風路部品を露出又は遮蔽する下パネルと
を含むエアコン。
【発明の詳細な説明】
【技術分野】
【０００１】
本願は２０１８年１２月２９日に提出された、出願番号２０１８２２２７２１２４．１、発明名称「エアコン室内機及びエアコン」である中国特許出願の優先権を主張し、その全文を参考としてここに援用する。
本願は空気調節機器の技術分野に関し、特にエアコン室内機及び当該エアコン室内機が応用されるエアコンに関する。
【背景技術】
【０００２】
従来の壁掛け式エアコンは通常、風路部品に面した筐体を、取り外し不可能な構造に設定する。このような構造では、エアコンの使用時間が長くなり、風路の壁面と貫流ファンにほこりが沈積しやすい状況では、フレームを取り外さなければ、風路部品に対して払拭掃除をするスペースを作りにくい。それに、導風構造のモータに問題が起きた場合も、交換や修理は便利ではない。
【発明の概要】
【発明が解決しようとする課題】
【０００３】
本願の主な目的は、エアコン室内機の洗浄の利便性を向上させるためのエアコン室内機を提供することである。
【課題を解決するための手段】
【０００４】
上記目的を達成するために、本願が提供するエアコン室内機は、
ベース及びベースと接続されているフレームを含み、前記フレームの下部には開口が設けられている筐体と、
前記ベースに設置されているとともに前記開口に露出している風路部品と、
前記風路部品に連通する送風口が設けられ、前後方向における一方側は前記開口の一方側の縁部或いは風路部品の一方側と回動可能に接続され、他方側は前記開口の他方側の縁部或いは風路部品の他方側と取り外し可能に接続され、回動することで前記開口を開放又はカバーして、前記風路部品を露出又は遮蔽する下パネルと、を含む。
【０００５】
好ましくは、前記エアコン室内機はさらに熱交換器を含み、前記熱交換器は前記筐体内に取り付けられ、前記熱交換器には冷媒管が接続され、前記ベースには脱着口が設けられ、前記下パネルには前記脱着口に対応して退避穴が設けられ、前記冷媒管上のジョイントは前記脱着口と前記退避穴により露出でき、前記退避穴の下には、前記退避穴と脱着口とを開閉するために、蓋が取り外し可能に接続されている。
【０００６】
好ましくは、前記退避穴の外周縁には第一ロック構造が設置され、前記蓋の内壁には第二ロック構造が設置され、前記蓋は前記第一ロック構造と前記第二ロック構造の嵌合によって、前記下パネルと取り外し可能に接続されている。
【０００７】
好ましくは、前記送風口の周縁には接続穴が設けられており、前記風路部品には対応する取付穴が設けられており、前記下パネルと前記風路部品を接続するように、ロッキング固定具が前記接続穴と取付穴内に挿設されている。
【０００８】
好ましくは、前記下パネルの前後方向における一方側には回動軸が設置され、前記開口の、前記フレームの前側に近い縁部には前記回動軸と適合する軸穴が設置され、前記下パネルは後ろから前へ向かう方向に回動して前記開口を開く。
【０００９】
好ましくは、前記回動軸と軸穴とは少なくともそれぞれ一対設置されており、一対の前記軸穴の開口は向かい合うように設置され、一対の前記回動軸は間隔を空けて設置されて前記軸穴と嵌合して回動され、
且つ／又は、前記回動軸は回転アームを介して前記下パネルに接続され、前記軸穴の一方側のエッジには位置制限突起が設置され、前記下パネルが規定の角度まで回動された時、前記位置制限突起は前記回転アームに当接されることにより、前記下パネルを位置決めする。
【００１０】
好ましくは、前記軸穴の外周縁には案内面が設置され、前記回動軸は前記案内面に沿って前記軸穴内に滑りこむ。
【００１１】
好ましくは、前記回動軸の端面にはフィット面が設置され、前記回動軸は前記フィット面を合わせるようにして前記軸穴内に滑りこむ。
【００１２】
好ましくは、前記軸穴の外周縁には案内面が設置され、前記回動軸の端面にはフィット面が設置され、前記案内面と前記フィット面とを合わせるようにして前記回動軸を前記軸穴内に滑りこませる。
【００１３】
好ましくは、前記下パネルの他方側には留め具が設置され、前記開口の、前記ベースの後側に近い縁部には掛着穴が設置され、前記留め具は前記掛着穴と挿嵌接続する。
【００１４】
好ましくは、前記留め具は板状で前記下パネルの内面に垂直に突出するように設置され、前記留め具の自由端は後側へ折れ曲がって設置され、前記掛着穴はフレア状の穴である。
【００１５】
好ましくは、前記下パネルの他方側にはラッチが設置され、前記開口の、前記ベースの後側に近い縁部にはスプリングキャッチ組立品が設置され、前記ラッチは前記スプリングキャッチ組立品とロックされる。
【００１６】
好ましくは、前記ラッチは直径が変化する柱状構造であり、
前記スプリングキャッチ組立品は、
一端に開口を有する筒体構造と、
前記筒体構造内に取り付けられるスライダであって、前記スライダと前記筒体構造の間にはバネが設置され、前記スライダ内には循環ガイドレールが形成されている前記スライダと、
スライダと接続されて筒体構造の開口から伸出している二つの係着爪と、
前記筒体構造と前記スライダとを接続し、前記循環ガイドレール内に引っ掛けられるスイングピンとを含む。
【００１７】
好ましくは、前記下パネルの左右方向における両端の中間部と前記開口の左右方向におけるエッジの中間部との一方には係着穴が設置され、他方には前記係着穴に嵌合する係止具が設置されている。
【００１８】
好ましくは、前記エアコン室内機はさらに上パネルを含み、前記上パネルの一方側は前記フレームの上側に回動可能に接続され、他方側は前記下パネルと掛合接続されている。
【００１９】
好ましくは、前記フレームの前側には取付口が設けられ、前記上パネルは前記取付口を覆っている。
【００２０】
好ましくは、前記上パネルの両端には前記フレームの外側壁を覆うエッジカバーが設置され、前記下パネルの両端には、前記フレームに向かう方向に突出した折り返し縁部が設置され、前記下パネルが前記開口を覆う時、前記折り返し縁部の外壁面と前記エッジカバーの外壁面とは面一になる。
【００２１】
好ましくは、前記エアコン室内機はさらに導風組立品を含み、前記導風組立品は前記送風口の周縁に取り外し可能に接続され、
或いは、前記導風組立品は前記フレームに取り付けられ、且つ前記送風口と対向するように設置されている。
【００２２】
好ましくは、前記風路部品はファンと、前記ベースに設置されている渦巻き形舌部及び渦巻き形ケーシングとを含み、前記渦巻き形舌部と前記渦巻き形ケーシングとが組み合わされて前記送風口に連通する風路を規定し、前記ファンは前記風路内に位置する。
【００２３】
本願はさらにエアコン室内機を含むエアコンを提案する。前記エアコン室内機は、
ベース及びベースと接続されているフレームを含み、前記フレームの下部には開口が設けられている筐体と、
前記ベースに設置されているとともに前記開口に露出している風路部品と、
前記風路部品に連通する送風口が設けられ、前後方向における一方側は前記開口の一方側の縁部或いは風路部品の一方側と回動可能に接続され、他方側は前記開口の他方側の縁部或いは風路部品の他方側と取り外し可能に接続され、前記下パネルが回動することで前記開口を開放又はカバーして、前記風路部品を露出又は遮蔽する前記下パネルと、を含む。
【００２４】
本願の技術案によれば、エアコン室内機の筐体の下部に開口を設けることで、風路部品は開口により外に露出でき、そして当該開口或いは風路部品の縁部には下パネルが回動可能に接続されており、下パネルを回動させて開くことで開口を開くことができる。これにより、風路部品を開口において露出させることで、風路部品の洗浄用に比較的大きいスペースを作って、洗浄の利便性を向上させる。同時に、下パネルの他方側が筐体或いは風路部品に取り外し可能に接続されていることで、下パネルの筐体における取付をより安定させ、下パネルの不意な開きで危険をもたらすのを防ぎ、エアコン室内機の構造安定性を良くして、運転の性能を高める。
【図面の簡単な説明】
【００２５】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願のエアコン室内機の第一実施例の立体構造模式図である。
【図２】図１におけるエアコン室内機の上パネルが開放状態にある構造模式図である。
【図３】図１におけるエアコン室内機の上パネルと下パネルが開放状態にある構造模式図である。
【図４】図１におけるエアコン室内機の下パネルを取り外した正面構造模式図である。
【図５】図４のＡでの拡大図である。
【図６】図１におけるエアコン室内機の下パネルの構造模式図である。
【図７】図６における下パネルの別の角度から見た構造模式図である。
【図８】図７のＢでの拡大図である。
【図９】図１におけるエアコン室内機の上パネルが開放状態にある正面構造模式図である。
【図１０】図９のＣ−Ｃ線に沿う断面図である。
【図１１】図９のＤ−Ｄ線に沿う断面図である。
【図１２】本願のエアコン室内機の下パネルのもう一つの実施例の分解構造模式図である。
【００２６】
添付図面を参照して、実施例と組み合わせて本願目的の実現、機能特徴及び長所をさらに説明する。
【発明を実施するための形態】
【００２７】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２８】
尚、本願実施例での全ての方向性指示は、ある特定の姿勢における各部品間の相対的位置関係、運動状況等を説明するためだけに設置され、もし当該特定の姿勢が変わる場合、当該方向性指示もそれ相当に変化する。
【００２９】
本願において、別途明確な規定や限定がない限り、術語「接続」、「固定」などは広義に理解されるべきである。例えば、「固定」は固定的な接続でもよく、取り外し可能な接続でもよく、或いは一体としてもよい。機械的な接続でもよく、電気的な接続でもよい。直接につながってもよく、中間にある媒介によって間接的につながってもよく、二つの素子内部の連通或いは二つの素子の相互作用関係であってもよい。当業者にとって、具体的な状況により上記術語の本願における具体的な意味を理解できる。
【００３０】
また、本願実施例において「第一」、「第二」等の説明は説明のために設置されるだけであって、その相対的重要性を提示又は暗示する、或いは提示される技術的特徴の数を暗示的に指定すると理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることが前提でなければならない。技術案の組み合わせに矛盾が生じるか、実現できない場合には、このような技術案の組み合わせが存在しない、且つ本願が請求する保護範囲にないと理解すべきである。
【００３１】
本願ではエアコン室内機６００を提案する。
【００３２】
図１から図１２を参照し、本願実施例において、当該エアコン室内機６００は、ベース１１０及びベース１１０と接続されているフレーム１３０を含み、前記フレーム１３０の下部には開口１３０ｂが設けられている筐体１００と、前記ベース１１０に設置されているとともに前記開口１３０ｂに露出している風路部品３００と、前記風路部品３００に連通する送風口１２０ｂが設けられている下パネル１２０であって、前後方向における一方側は前記開口１３０ｂの一方側の縁部或いは風路部品３００の一方側と回動可能に接続され、他方側は前記開口１３０ｂの他方側の縁部或いは風路部品３００の他方側と取り外し可能に接続され、前記下パネル１２０が回動することで前記開口１３０ｂを開放又はカバーして、前記風路部品３００を露出又は遮蔽する下パネル１２０と、を含む。
【００３３】
本実施例では、エアコン室内機６００は筐体１００を含み、筐体１００は具体的には、ベース１１０とフレーム１３０を含み、フレーム１３０とベース１１０が囲んで取り付けチャンバーを形成し、取り付けチャンバー内には熱交換器２００と風路部品３００が取り付けられており、熱交換器２００は風路部品３００の上方を囲むように設置されている。ベース１１０のフレーム１３０と反対側の表面には取り外し可能に壁掛け板（図示しない）が接続されて、エアコン室内機６００は壁掛け板を介して壁に取り付けられる。本願におけるフレーム１３０の頂壁には吸気口１３０ａが設置されている。即ち、エアコン室内機６００は頂部から吸気する。エアコン室内機６００には取り付けチャンバーと連通する送風口１２０ａが設けられており、外の空気は吸気口１３０ａ経由で進入し、熱交換器２００における熱交換を経てから、風路部品３００の駆動により送風口１２０ａから吹き出される。
【００３４】
フレーム１３０の下部には開口１３０ｂが設けられており、当該開口１３０ｂは風路部品３００と対応できる。風路部品３００はファン３３０、渦巻き形舌部、渦巻き形ケーシング３１０、渦巻き形ケーシング３１０に設置されているドレンパン及び導風組立品を含む。従って、下パネル１２０を開いた時、開口１３０ｂの内側に位置する風路部品３００を外に露出させることが可能である。外から内へ順に導風組立品、渦巻き形舌部、ドレンパン、渦巻き形ケーシング３１０及びファン３３０が設置されている。本願の渦巻き形ケーシング３１０の構造は、ベース１１０と一体構造になってもいいし、渦巻き形ケーシング３１０とベース１１０とは別体構造であるが一体に取り付けて固定されてもよい。熱交換器２００は少なくとも前方熱交換部２１０及び前方熱交換部２１０と組み合わされて、囲むように下向きのフレア口を形成する後方熱交換部２２０を含み、後方熱交換部２２０は取り付けられる壁に近接している。渦巻き形舌部は渦巻き形ケーシング３１０と組み合わされて風路３２０を規定し、ファン３３０は風路３２０に位置し、しかも風路３２０の入口は熱交換器２００が形成したフレア口と接し、風路３２０の出口は送風口１２０ｂと接し、ファン３３０の駆動の下で、外の風は吸気口１３０ａから進入して風路３２０を通り抜けてそして送風口１２０ａを経て吹き出される。
【００３５】
本願の渦巻き形ケーシング３１０上のドレンパンは前ドレンパン３１１と後ドレンパン３１３に分けられる。前ドレンパン３１１は前方熱交換部２１０の熱交換過程において生成された凝縮水が伝わるように設置され、後ドレンパン３１３は後方熱交換部２２０の熱交換過程において生成された凝縮水が伝わるように設置されている。しかも、ドレンパンの左右両端のうち少なくとも一端にはドレンホースが設置されており、ドレンパンのドレンホースには凝縮水をエアコン室内機６００から排出するように排水管が接続されている。ドレンホースも、排水管を脱着させる或いは修理する時により便利になるように、開口１３０ｂから露出している。
【００３６】
その他に、エアコン室内機６００は更に、熱交換器２００の一端に設けられている電気制御ボックス４００を含む。エアコン室内機６００の導線接続を便利にするために、当該電気制御ボックス４００も開口１３０ｂに露出している。これにより下パネル１２０を開いて配管の洗浄或いは接続を行う時、導線の接続も便利になり、更に取り付けの効率を向上させる。
【００３７】
本願の技術案によれば、エアコン室内機６００の筐体１００の下部に開口１３０ｂを設けることで、風路部品３００は開口１３０ｂにより外に露出でき、そして当該開口１３０ｂ或いは風路部品３００の一方側には下パネル１２０が回動可能に接続されており、下パネル１２０を回動させて開くことで開口１３０ｂを開くことができる。これにより、風路部品３００を開口１３０ｂにおいて露出させることで、風路部品３００の洗浄用に比較的大きいスペースを作って、洗浄の利便性を向上させる。同時に、下パネル１２０の前後方向における他方側は筐体１００或いは風路部品３００に取り外し可能に接続されていることで、下パネル１２０の筐体１００における取付をより安定させ、下パネル１２０の不意な開きで危険をもたらすのを防ぎ、エアコン室内機６００の構造安定性を良くして、運転の性能を高める。
【００３８】
図７を参照し、前記導風組立品５００は取り外し可能に前記送風口１２０ａの周縁に接続されており、或いは、前記導風組立品５００は前記フレーム１３０に取り付けられ、且つ前記送風口１２０ａと対向するように設置されている。
【００３９】
本実施例では、導風組立品５００はルーバー組立品と導風板５１０を含む。ルーバー組立品は送風口１２０ａからの風の前後方向におけるガイドを実現できる。導風板５１０は回動可能にフレーム１３０或いは下パネル１２０に接続されることにより、送風口１２０ａからの風の上下方向におけるガイドを実現できる。両方が相まって送風効果を強化する。当該実施例において、ルーバー組立品はベース１１０に取り付けられており、導風板５１０は送風口１２０ａの周縁に取り外し可能に接続されている。同時に、導風板５１０の一方側には駆動モータが接続されており、下パネル１２０を回動させて開いた時、導風板５１０と駆動モータに対して修理あるいは洗浄を行えると同時に、ルーバー構造に対する洗浄或いは修理を便利にし、洗浄の利便性を更に向上させる。
【００４０】
図３と図４及び図１２を参照し、前記熱交換器２００には冷媒管２３０が接続されている。前記ベース１１０には脱着口１１３が設けられており、前記下パネル１２０には前記脱着口１１３に対応するように退避穴１２６が設けられている。前記冷媒管２３０上のジョイントは前記脱着口１１３と退避穴１２６により露出できる。前記退避穴１２６の周縁には、前記退避穴１２６と脱着口１１３を開閉するために、蓋１５０が取り外し可能に接続されている。
【００４１】
熱交換器２００に接続されている冷媒管２３０は、エアコン室内機６００と室外機の間で循環する冷媒流路を形成する。エアコン室内機６００の取り付け過程或いは日常メンテナンス過程において、配管の接続、洗浄等の操作を行う必要があり、例えば、エアコン室内機６００はエアコン室外機と接続して冷媒管循環回路を形成する必要がある。本願では、ベース１１０の底部にボトムプレート１１１が設置されており、ボトムプレート１１１には取り付けチャンバーに連通する脱着口１１３が設けられている。対応するように、下パネル１２０には退避穴１２６が設けられており、冷媒管２３０上の冷媒管ジョイントと排水管は何れも脱着口１１３と退避穴１２６により露出することができる。退避穴１２６を開閉して、さらに脱着口１１３を開閉するために、退避穴１２６の周縁には更に蓋１５０が接続されている。脱着口１１３はエアコン室内機６００の左右方向において細長く伸びると共に、脱着口１１３は少なくとも冷媒管２３０と排水管とのジョイント部分を露出させられるべきである。脱着口１１３のエアコン室内機６００の前後方向における幅は、人の手或いは道具を直接挿入して冷媒管２３０と排水管に対して脱着作業を行うのに適すべきである。
【００４２】
具体的には、退避穴１２６の外周縁には第一ロック構造が設けられ、対応するように、蓋１５０の内壁には対応する第二ロック構造が設置されている。第一ロック構造と第二ロック構造の嵌合により、蓋１５０は取り外し可能に下パネル１２０に接続される。ここでは限定しないが、第一ロック構造と第二ロック構造は係合、挿入接続、回動接続方式、磁気吸着等でもよい。
【００４３】
図４と図６を参照し、好ましくは、前記送風口１２０ａの周縁には接続穴１２５が設けられており、前記風路部品３００には対応する取付穴３１４が設けられている。前記下パネル１２０と前記風路部品３００を接続するように、ロッキング固定具が前記接続穴１２５と取付穴３１４内に挿設されている。
【００４４】
本実施例では、下パネル１２０とフレーム１３０との接続の安定性を増すために、送風口１２０ａの下周縁には少なくとも一つの接続穴１２５が設けられ、風路部品３００のボトムプレート１１１には対応する取付穴３１４が設けられている。送風口１２０ａの位置は下パネル１２０の左右方向における中間部位置にあるため、接続穴１２５と取付穴３１４に挿設されるロッキング固定具を使用することで、下パネル１２０とフレーム１３０との中間部における接続を増やし、両者の接続の安定性を向上させ、上下両側の両端の接続による中部の比較的大きい隙間の発生で、送風量と送風効果を影響してしまうのを避ける。
【００４５】
図４から図８を参照し、前記下パネル１２０の前後方向における一方側には回動軸１２１を有し、前記開口１３０ｂの前記フレーム１３０の前側に近い縁部には前記回動軸１２１と適合する軸穴１３１を有し、前記下パネル１２０は後ろから前へ向かう方向に回動して前記開口１３０ｂを開く。
【００４６】
本実施例では、下パネル１２０とフレーム１３０との間の回動接続は軸と穴の嵌合を利用して、下パネル１２０の上側には回動軸１２１が設置され、フレーム１３０の前側下寄りの位置には軸穴１３１が設置され、即ち、開口１３０ｂの周縁の近くに設置されている。回動軸１２１と軸穴１３１の嵌合によって、下パネル１２０のフレーム１３０に対する前から後へ向かう方向の回動をよりスムーズにする。当該回動軸１２１は少なくとも一つ設置されるが、二つ設置されてもよい。二つの回動軸１２１を下パネル１２０の一方側の両端に設置することで、回動接続の安定性を高める。勿論、下パネル１２０とフレーム１３０との間は挿入板挿入穴構造、回転スナップフィット構造など他の方式により回動接続を行っても良い。
【００４７】
具体的な一実施例において、前記回動軸１２１と軸穴１３１は少なくともそれぞれ一対設置されており、一対の前記軸穴１３１は向かい合うように設置され、一対の前記回動軸１２１は間隔を空けて設置されて軸穴１３１と嵌合して回動される。且つ／又は、前記回動軸１２１は回転アームを介して前記下パネルに接続され、前記軸穴１３１の一方側のエッジには位置制限突起１３５が設置されている。前記下パネルが規定の角度まで回動された時、前記位置制限突起１３５は前記回転アームに当接されることにより、前記下パネルを位置決めする。
【００４８】
一実施例において、回動軸１２１は対になって設置されている。一対の回動軸１２１は二つの互いに背ける回動軸１２１を含み、それに対応して、一対の軸穴１３１には二つの開口が互いに向かい合うように設置されている軸穴１３１が設けられ、且つ下パネル１２０の回動及び回動軸１２１の取付を便利にするように、二つの軸穴１３１の間には退避空間が設けられている。この構造の設置で、二つの回動軸１２１と軸穴１３１との嵌合において、互いに当接し合う傾向を持たせ、回動接続をより安定させ、不意な脱落を起こす危険はなく、更には下パネル１２０の取付の安定性を高める。
【００４９】
勿論、さらに下パネル１２０の回動を便利にするために、下パネル１２０の一方側には回動アームが突出するように設置され、回動アームの他端は回動軸１２１に接続されている。回動軸１２１が軸穴１３１内に装着された時、回転アームが退避空間の側壁に当接されることで、下パネル１２０の回動をより安定させられる。これとともに、下パネル１２０を開いて洗浄或いは修理作業を行うのを便利にするために、位置制限突起１３５が設置され、当該位置制限突起１３５は軸穴１３１の一方側の周縁に設置されているとともに、位置制限空間の開口１３０ｂの周縁に位置している。回動軸１２１を後ろから前へ回動して開く時、適当な規定の角度まで回動し、下パネル１２０から手を離すと、この位置制限突起１３５が回転アームの回動方向における表面に当接されて、下パネル１２０に対して位置決めを行い、洗浄の利便性と安全性を高められる。
【００５０】
続けて図５と図８を参照し、前記軸穴１３１の外周縁には案内面１３２が設置され、前記回動軸１２１は前記案内面１３２に沿って前記軸穴１３１内に滑りこむ。或いは、前記回動軸１２１の端面にフィット面１２１１が設置され、前記回動軸１２１は前記フィット面１２１１を合わせるようにして前記軸穴１３１内に滑りこむ。或いは、前記軸穴１３１の外周縁には案内面１３２が設置され、前記回動軸１２１の端面にはフィット面１２１１が設置され、前記案内面１３２と前記フィット面１２１１とを合わせるようにして前記回動軸１２１を前記軸穴１３１内に滑りこませる。
【００５１】
本実施例では、軸穴１３１の外周縁には案内面１３２が設置され、この案内面１３２は一つの軸穴１３１からもう一つの軸穴１３１に向かう方向において徐々にフレーム１３０の内部へ傾いて、回動軸１２１の端面にはフィット面１２１１が設置され、このフィット面１２１１は軸穴１３１に面して設置されて、案内面１３２と平行に設置されている。これにより下パネル１２０を取り付ける時、二つの回動軸１２１のフィット面１２１１を案内面１３２に合わせて押圧することで、回動軸１２１は軸穴１３１内に滑りこむ。こうして取り付けの効率と利便性を高める。
【００５２】
図９から図１１を参照し、前記下パネル１２０の他方側には留め具１２２が設置されている。前記開口１３０ｂの前記ベース１１０の後側に近い縁部には掛着穴１３３が設置されている。前記留め具１２２は前記掛着穴１３３と挿嵌接続する。或いは、前記下パネル１２０の他方側にはラッチが設置されている。前記開口１３０ｂの前記ベース１１０の後側に近い縁部にはスプリングキャッチ組立品が設置されている。前記ラッチは前記スプリングキャッチ組立品とロックされる。
【００５３】
本実施例では、下パネル１２０の一方側がフレーム１３０と回動可能に接続されている時に、他方側とフレームとの接続は留め具１２２により接続してもよい。例えば、下パネル１２０の他方側には留め具１２２が設置され、対応するフレーム１３０上には掛着穴１３３が設置されている。下パネル１２０の他方側を押圧するだけでそれをフレーム１３０に係合でき、簡単且つ便利で、脱着の利便性を高める。具体的には、留め具１２２は板状で下パネル１２０の内面に垂直に突出するように設置され、留め具１２２の自由端は後側へ折れ曲がって設置されている。掛着穴１３３はフレア状の穴であり、前記留め具１２２は掛着穴１３３内に係着されて、その端部は有効的に係止を実現できる。勿論、当該係合構造はラッチとスプリングキャッチの嵌合関係でもよい。具体的には、ラッチは直径が変化する柱状構造であり、スプリングキャッチ組立品は一端に開口を有する筒体構造と、筒体構造内に取り付けられるスライダと、スライダと接続されて筒体構造から伸出している二つの係着爪とを含み、スライダと筒体構造の間にはバネが設置され、スライダ内には循環ガイドレールが形成されている。筒体構造とスライダは更にスイングピンで接続され、スイング針は循環ガイドレール内に引っ掛けられる。これにより、ラッチがスライダを押圧する時、ラッチを挟持するように二つの係着爪を動かす。再び押圧する時、スイングピン、スライダ、バネ、及び循環ガイドレールの協働により、二つの係着爪がラッチを解放することで接続状態を解除する。押圧操作を繰り返すだけでロックとアンロックの機能を果たせ、更に時間と労力を省く。その他に、ここでは限定しないが、下パネル１２０の他方側とフレーム１３０との取り外し可能な接続は、磁気吸着或いは螺合接続等でもよい。
【００５４】
好ましい実施例では、前記下パネル１２０の左右方向における両端の中間部と前記開口１３０ｂの左右方向におけるエッジの中間部との、一方には係着穴１２３が設置され、他方には前記係着穴１２３に嵌合する係止具１３４が設置されている。
【００５５】
本実施例では、下パネル１２０の両側は何れもフレーム１３０と接続されているため、両端の中間部の接続を加えるために、係着穴１２３と係止具１３４との係合接続を設置することにより、下パネル１２０の接続安定性をさらに向上させ、隙間による風路３２０組立品の送風への影響を避けられる。
【００５６】
図１から図４を参照し、前記エアコン室内機６００はさらに上パネル１４０を含み、前記上パネル１４０の一方側は前記フレーム１３０の上側に回動可能に接続され、他方側は前記下パネル１２０と掛合接続されている。
【００５７】
本実施例では、フレーム１３０の前側には取付口が設けられ、当該上パネル１４０が取付口を覆うことにより、保護と装飾の効果を果たす。勿論、フィルタ組立品が設置されているエアコン室内機６００は、この取付口を通して脱着を行える。脱着を便利にするために、上パネル１４０とフレーム１３０との接続は回動接続であり、後から前へ向かう方向で開くことができる。上パネル１４０を取付口に蓋合させた時、上パネル１４０の他方側は下パネル１２０とスナップフィットされる。具体的な掛合方式については、留め具１２２、ラッチ結合或いは磁気吸着等でもよい。当該実施例において、上パネル１４０の内面には第三係合構造が設置されており、下パネル１２０の外壁には第四係合構造が設置されており、上パネル１４０を軽く押圧するだけでロッキング固定を実現でき、簡単且つ便利である。勿論、上パネル１４０もフレーム１３０と掛合接続し、下パネル１２０の縁部とはただつなぎ合わせられるように設置されてもよい。
【００５８】
図１と図２を参照し、前記上パネル１４０の両端には前記フレーム１３０の外側壁を覆うエッジカバー１４１が設置されている。前記下パネル１２０の両端には、前記フレーム１３０に向かう方向に突出した折り返し縁部１２４が設置されている。前記下パネル１２０が前記開口１３０ｂを覆う時、前記折り返し縁部１２４の外壁面と前記エッジカバー１４１の外壁面とは面一になる。
【００５９】
或いは、前記下パネル１２０の両端面と前記フレーム１３０の外壁面とは面一になる。且つ／又は、前記下パネル１２０の後端面と前記ベース１１０の外壁面とは面一になる。
【００６０】
本実施例では、下パネル１２０はフレーム１３０の開口１３０ｂ全体を遮ることができる。当該開口１３０ｂはフレーム１３０の下側空間全体と前側空間の一部を含むので、下パネル１２０の後端面が直接ベース１１０の外壁面に当接されることにより、開口１３０ｂを完全に遮る役割を果たす。勿論、下パネル１２０の後端面もベース１１０の外壁面とは面一になることで、壁或いは壁掛け板に直接当接できる。下パネル１２０の両端面はフレーム１３０の外壁面と面一でもいいし、フレーム１３０の外壁面を覆うようにしてもよい。具体的には、下パネル１２０の両端面には折り返し縁部１２４が設置され、当該折り返し縁部１２４は下パネル１２０の両端がフレーム１３０の方向へ折り曲げられて延びることにより形成されている。この折り返し縁部１２４の内壁面はフレーム１３０の外壁面に当接されて被覆構造を形成する。これにより、一方では蓋合の密封性を向上でき、もう一方ではこの折り返し縁部１２４により回動の安定性を実現して、左右方向のズレによる回動の不具合を避けることができる。これに対応して、上パネル１４０の両端にもエッジカバー１４１が設置されている。このエッジカバー１４１も回動を案内する効果を提供でき、しかも密封を厳重にすることができる。上パネル１４０が取付口に蓋合された時、エッジカバー１４１の外壁面と折り返し縁部１２４の外壁面とが面一になり、外観において比較的美しくし、さらに合致する接続の密着性を提供する。
【００６１】
本願は更に、エアコン室内機６００及びエアコン室内機６００と接続されている室外機を含むエアコンを提案する。当該エアコン室内機６００の具体的な構造については、上記実施例を参照されたい。本エアコンは上記全ての実施例の全ての技術案を採用したので、少なくとも上記実施例の技術案がもたらす全ての有益効果を有するが、ここでは逐一贅言しない。
【００６２】
以上に述べたことは本願の好ましい実施例に過ぎず、それによって本願の特許の範囲を制限するわけではない。本願の発明構想の下で、本願の明細書及び添付図面の内容を利用してなされた等価な構造変換、或いは他の関連する技術分野への直接／間接的な応用は、何れも本願の特許の保護範囲に含まれる。
【符号の説明】
【００６３】
１００  筐体
１１０  ベース
１１１  ボトムプレート
１１３  脱着口
１２０  下パネル
１２０ａ  送風口
１２１  回動軸
１２１１  フィット面
１２２  留め具
１２３  係着穴
１２４  折り返し縁部
１２５  接続穴
１２６  退避穴
１３０  フレーム
１３０ａ  吸気口
１３０ｂ  開口
１３１  軸穴
１３２  案内面
１３３  掛着穴
１３４  係止具
１３５  位置制限突起
１４０  上パネル
１４１  エッジカバー
１５０  蓋
２００  熱交換器
２１０  前方熱交換部
２２０  後方熱交換部
２３０  冷媒管
３００  風路部品
３１０  渦巻き形ケーシング
３１１  前ドレンパン
３１３  後ドレンパン
３１４  取付穴
３２０  風路
３３０  ファン
４００  電気制御ボックス
５００  導風組立品
５１０  導風板
６００  エアコン室内機
【図１】
2021513046.tif 000003
【図２】
2021513046.tif 000004
【図３】
2021513046.tif 000005
【図４】
2021513046.tif 000006
【図５】
2021513046.tif 000007
【図６】
2021513046.tif 000008
【図７】
2021513046.tif 000009
【図８】
2021513046.tif 000010
【図９】
2021513046.tif 000011
【図１０】
2021513046.tif 000012
【図１１】
2021513046.tif 000013
【図１２】
2021513046.tif 000014
【国際調査報告】
2021513046.tif 000015
2021513046.tif 000016
2021513046.tif 000017
2021513046.tif 000018
2021513046.tif 000019
2021513046.tif 000020